(57)【要約】【課題】  安価、かつ、省スペースな構成で、ＬＦローラとＣＲシャフトの平行性およびヘッドの吐出口面とプラテンとの平行性を調整可能な記録装置を提供する。【解決手段】  ＣＲシャフトの一端側において傾斜面を備えた単一な当接部材を備え、前記傾斜面にＣＲシャフトを当接してＬＦローラとＣＲシャフトの平行性を調整し、前記当接部材の非傾斜面にＣＲシャフトを当接して吐出口面とプラテンとの平行性を調整する。【選択図】        図１
2006205647.tif 000002
【特許請求の範囲】
【請求項１】
記録媒体搬送手段と、前記搬送手段によって行単位で搬送された記録媒体に、画像情報に応じて行単位で記録を行う記録手段と、前記記録手段の保持手段と、前記保持手段の主走査方向への移動をガイドするガイド手段と、前記記録手段と対向する位置に、記録媒体保持手段とを備えた記録装置において、
前記搬送手段と前記ガイド手段の平行性および、前記記録手段の吐出口面と前記記録媒保持手段との平行性を、前記ガイド手段に当接する当接部材を介した、前記ガイド手段の移動で調整することを特徴とした記録装置。
【請求項２】
前記当接部材は前記ガイド手段の一端側において単一であり、前記単一の当接部材を介した、前記ガイド手段の移動で前記調整を実施することを特徴とする請求項１に記載の記録装置。
【請求項３】
前記ガイド手段の一端側において単一の当接部材の移動と、前記ガイド手段の主走査方向の移動により、前記ガイド手段の移動による前記調整を実施することを特徴とする請求項１に記載の記録装置。
【請求項４】
前記当接部材は、前記ガイド手段の両端部付近に備えることを特徴とする請求項１から３のいずれか１つに記載の記録装置。
【請求項５】
前記当接部材は、前記ガイド手段の一端部付近に備え、他端部には、前記記録手段の吐出口面と前記記録媒保持手段との平行性を調整する調整部材を備えていることを特徴とする請求項１から４のいずれか１つに記載の記録装置。
【請求項６】
前記当接部材は傾斜面を備え、前記搬送手段と前記ガイド手段の平行性の調整は、前記傾斜面に前記ガイド手段を当接することによって実施することを特徴とする請求項１から５のいずれか１つに記載の記録装置。
【請求項７】
前記記録装置の記録手段は、インクジェット記録手段であることを特徴とする請求項１から６のいずれか１つに記載の記録装置。
【発明の詳細な説明】
【技術分野】
【０００１】
本発明は、搬送手段と、記録手段の保持手段の主走査方向への移動をガイドするガイド手段との平行性および、記録手段の吐出口面と記録媒保持手段との平行性を調整することが可能な記録装置に関する。
【背景技術】
【０００２】
従来、前記記録装置においては、それぞれの調整が、記録手段の保持手段の主走査方向への移動をガイドするガイド手段と、記録媒体保持手段の移動により実施されていた（例えば、特許文献１、特許文献２参照）。
【特許文献１】特開２００３−１０３８５１号公報
【特許文献２】特開平１０−１１９３８５号公報
【発明の開示】
【発明が解決しようとする課題】
【０００３】
しかしながら、上記従来の記録装置においては、記録手段の吐出口面と記録媒保持手段との平行性に関しては、記録媒体保持手段を移動して実施しており（特許文献１）、また、前記搬送手段と前記ガイド手段との平行性は、前記ガイド手段を移動して実施することが公知として知られている。この為、それぞれの調整を一つの記録装置内で実施する為には、記録媒体への記録にかかわる複数の個所を移動させて前記調整を実施する為、コストがかかり、低コスト化および省スペースに関して妨げになるという課題があった。
【０００４】
また、前記記録手段の吐出口面と前記記録媒保持手段との平行性を、前記ガイド手段を移動して実施している場合には、前記搬送手段と前記ガイド手段との平行性は調整されない（特許文献２）という課題があった。
【０００５】
本発明は、以上の点に着目して成されたもので、安価で、かつ、省スペースな構成で調整が実施可能な記録装置を提供することを目的とする。
【課題を解決するための手段】
【０００６】
上記目的を達成するための本発明に係る構成は、記録媒体搬送手段と、前記搬送手段によって行単位で搬送された記録媒体に、画像情報に応じて行単位で記録を行う記録手段と、前記記録手段の保持手段と、前記保持手段の主走査方向への移動をガイドするガイド手段と、前記記録手段と対向する位置に、記録媒体保持手段とを備えた記録装置において、前記搬送手段と前記ガイド手段の平行性および、前記記録手段の吐出口面と前記記録媒保持手段との平行性を、前記ガイド手段に当接する当接部材を介した、前記ガイド手段の移動で調整する構成にしている記録装置である。
【発明の効果】
【０００７】
上記構成によれば、前記ガイド手段の移動のみで前記調整を実施することが可能である。すなわち、本発明によれば、安価で、かつ、省スペースな構成で前記調整が実施可能な記録装置を提供することができる。
【発明を実施するための最良の形態】
【０００８】
以下本発明を実施するための最良の形態を、実施例により詳しく説明する。
【実施例】
【０００９】
［第１の実施形態］
本発明の記録装置の第１の実施形態について説明する。
【００１０】
図１〜図５は、本発明の第１実施形態を説明する為のインクジェット記録装置の斜視図（図１、図２、図４）、断面図（図３、図５）である。
【００１１】
２は給紙部であり、圧板２１に積載したシート材Ｐを分離ローラ２４１と給紙ローラ２８で、１枚ずつ分離して搬送部３に送紙する。
【００１２】
３は搬送部であり、曲げ起こした板金からなるシャーシ１１に搬送部３が取り付けられている。搬送部３はシート材Ｐを搬送する搬送ローラ３６とＰＥセンサー３２を有している。搬送ローラ３６は金属軸の表面にセラミックの微小粒をコーティングした構成であり、両軸の金属部分を不図示の軸受けで受け、シャーシ１１に取り付けられている。
【００１３】
搬送ローラ３６には従動する複数のピンチローラ３７が当接して設けられている。ピンチローラ３７はピンチローラホルダ３０に保持され、ピンチローラバネ３１で付勢することで、ピンチローラ３７が搬送ローラ３６に圧接し、シート材Ｐの搬送力を生み出している。この時、ピンチローラホルダ３０の回転軸がシャーシ１１の不図示の軸受け部に取り付けられ、そこを中心に回転する。
【００１４】
さらに、シート材Ｐが搬送されてくる搬送部３の入口にはシート材Ｐをガイドするペーパガイドフラッパ３３及びプラテン３４が配設されている。また、ピンチローラホルダ３０にはシート材Ｐの先端、後端検出をＰＥセンサ−３２に伝えるＰＥセンサーレバ３２１が設けられている。プラテン３４はシャーシ１１に取り付けられ、位置決めされる。ペーパガイドフラッパ３３は、搬送ローラ３６と勘合し、摺動する軸受け部３３１を中心に回転可能で、シャーシ１１に当接することで位置決めされる。
【００１５】
また、搬送ローラ３６のシート材搬送方向における下流側には、画像情報に基づいて画像を形成する記録ヘッド７が設けられている。
【００１６】
上記構成において、搬送部３に送られたシート材Ｐはピンチローラホルダ３０及びペーパガイドフラッパ３３に案内されて、搬送ローラ３６とピンチローラ３７とのローラ対に送られる。この時、ＰＥセンサーレバ３２１が搬送されてきたシート材Ｐの先端を検知して、これによりシート材Ｐの印字位置を求めている。また、シート材Ｐは搬送モータ３５によりローラ対３６、３７が回転することでプラテン３４上を搬送される。
【００１７】
搬送ローラ３６への駆動は、ＤＣモータからなる搬送モータ３５の回転力を、一端側の出力軸に固定したモータプーリ３５２に取り付けた不図示のタイミングベルトを介して、搬送ローラ３６の軸上に設けたプーリ３６１に伝達して実施している。
【００１８】
また、搬送ローラ３６の軸上には、搬送ローラ３６による搬送量を検出する為の１５０〜３００ｌｐｉのピッチでマーキングを形成したコードホイール３６２が設けられており、それを読み取るエンコーダセンサ３６３がコードホイール３６２の隣接する位置のシャーシ１１に取り付けられている。
【００１９】
なお、記録ヘッド７は各色インクタンク別体の交換可能なインクタンクが搭載されたインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７の不図示のノズルからインクが吐出されてシート材Ｐ上に画像が形成される。
【００２０】
５はキャリッジ部であり、記録ヘッド７を取り付けるキャリッジ５０を有している。そしてキャリッジ５０は、シート材Ｐの搬送方向に対して直角方向に往復走査させるためのガイドシャフト５２及びキャリッジ５０の後端を保持して記録ヘッド７とシート材Ｐとの隙間を維持するガイドレール１１１によって支持されている。
【００２１】
この時、前記ガイドシャフト５２の一端部近傍は、前記ガイドシャフト５２と前記プラテン３４の間隔を調整可能で、かつ、前記ガイドシャフト５２と前記搬送ローラ３６の平行度を調整可能にする支持部材６０に支持されている。また、前記ガイドシャフト５２の他端部近傍は、前記ガイドシャフト５２と前記プラテン３４の間隔を調整可能な、不図示の支持部材が備えられている。
【００２２】
また、ガイドレール１１１はシャーシ１１に一体に形成されている。ガイドレール１１１のキャリッジ５０との摺動側には、ＳＵＳ等の薄板の摺動シート５３が張設され、摺動音の低減を行っている。
【００２３】
また、キャリッジ５０はシャーシ１１に取り付けられたキャリッジモータ５４によりタイミングベルト５４１を介して駆動される。このタイミングベルト５４１は、アイドルプーリー５４２によって張設、支持されている。タイミングベルト５４２はキャリッジ５０とゴム等からなる不図示のダンパーを介して結合されており、キャリッジモータ５４等の振動を減衰することで、画像ムラ等を低減している。そして、キャリッジ５０の位置を検出する為の１５０〜３００ｌｐｉのピッチでマーキングを形成したコードストリップ５６１がタイミングベルト５４１と平行に設けられている。さらに、それを読み取る不図示のエンコーダセンサがキャリッジ５０に搭載した不図示のキャリッジ基板に設けられている。
【００２４】
また、記録ヘッド７をキャリッジ５０に固定する為に、キャリッジ５０には、位置決めの為の不図示の突き当て部と押し付け、固定する為の不図示の押圧手段が設けられている。押圧手段はヘッドセットレバー５１に搭載され、ヘッドセットレバー５１を回転支点中心に回して、セットする際に、記録ヘッド７に作用する構成になっている。
【００２５】
上記構成において、シート材Ｐに画像形成する時は、画像形成する行位置（シート材Ｐの搬送方向の位置）にローラ対３６、３７がシート材Ｐを搬送すると共にキャリッジモータ５４によりキャリッジ５０を画像形成する列位置（シート材Ｐの搬送方向と垂直な位置）に移動させて、記録ヘッド７を画像形成位置に対向させる。その後、電気基板９からの信号により記録ヘッド７がシート材Ｐに向けてインクを吐出して画像が形成される。
【００２６】
４は排紙部であり、それぞれ複数個の搬送部４０１、４１１を備えた２本の排紙ローラ４０、４１、前記搬送部４０１、４１１に所定圧で当設、従動して回転可能な如く構成された拍車４２、搬送ローラの駆動を排紙ローラ４０、４１伝達する為のギア列、等から構成されている。
【００２７】
排紙ローラ４０、４１はプラテン３４に取り付けられている。上流側の排紙ローラ４０は金属軸に、複数のゴム部４０１を設けている。搬送ローラからの駆動がアイドラギアを介し、排紙ローラ４０に伝達されることによって駆動される。排紙ローラ４１は樹脂の軸にエラストマーの弾性体４１１を複数取り付けた構成になっている。排紙ローラ４１への駆動は、排紙ローラ４０からアイドラギアを介して伝達される。
【００２８】
拍車４２はＳＵＳの薄板で周囲に凸形状を複数設けたものを樹脂部と一体成型され、拍車ホルダ４３に取り付けられている。コイルバネを棒状に設けた拍車バネ４４によって、拍車４２は拍車ホルダ４３への取り付けと、排紙ローラ４０、４１等への押圧を行っている。拍車４２は前記排紙ローラ４０、４１の搬送部４０１、４１１に対応する位置に設けられ、主にシート材Ｐの搬送力を生み出す役割のものと、その間の前記排紙ローラ４０、４１の搬送部４０１、４１１が無い位置に設け、主にシート材Ｐが印字される時の浮き上がりを抑える役割のものがある。
【００２９】
前記排紙ローラ４０、４１の間には、シート材Ｐの両端を持ち上げ、前記排紙ローラ４０、４１の先でシート材Ｐを保持し、先出のシート材Ｐ上の印字を擦る事でダメージを与えない為の不図示の紙端サポートが設けられている。
【００３０】
以上の構成によって、キャリッジ部５で画像形成されたシート材Ｐは、前記排紙ローラ４１と拍車４２とのニップに挟まれ、搬送されて排紙トレイ４６に排出される。排紙トレイ４６は、複数に分割され、ベース９９の下部に収納できる構成になっている。使用時は、引出して使用する。排紙トレイ４６は先端に向けて高さが上がり、更にその両端は高さが高く構成され、排出されたシート材Ｐの積載性向上、印字面の擦れ防止を可能としている。
【００３１】
次に、図５〜図７を参照して、前記記録ヘッド７の吐出口面７２と記録シートＰを保持するプラテン３４の記録シート支持面３４１との間隔ａを調整する為の、前記記録ヘッド７が保持された前記キャリッジ５０を保持している前記ガイドシャフト５２と記録シートＰを保持する前記プラテン３４の前記記録シート支持面３４１との間隔と、前記ガイドシャフト５２と前記搬送ローラ３６の平行度の調整箇所について詳細に説明する。
【００３２】
先ず、前記ガイドシャフト５２と記録シートＰを保持する前記プラテン３４の前記記録シート支持面３４１との間隔の調整について説明する。
【００３３】
前記ガイドシャフト５２の両端部近傍は、前記支持部材６０の支持面６２に支持されている。この時、前記支持部材６０にはガイド孔６１が備えられ、前記ガイド孔６１に前記シャーシ１１に設けられたスタッド１１２が嵌合し、前記支持部材６０は、図６中の矢印Ａまたは矢印Ｂ方向へガイドされて移動可能になっている。また、前記支持部材６０の矢印Ａまたは矢印Ｂ方向への移動は、前記支持部材６０の当接面６２に当接する、回転中心５２２に仮締結された段ビス９０を中心に図６中の矢印Ｃまたは矢印Ｄ方向に回転可能な偏心カム５２１の回動により実施される。
【００３４】
例えば、前記偏心カム５２１が図６の状態から図６中の矢印Ｃ方向に３０°回動すると、回転中心５２２から外周面５２３までの距離がｒ１−ｒ２分減少する為、前記支持部材６０は、前記減少分だけ図６中の矢印Ｂ方向に移動することになり、前記支持部材６０に支持されている前記ガイドシャフト５２も、前記支持部材６０が移動した量に応じて、図６中の矢印Ｂ方向に移動することになる。
【００３５】
この時、前記記録ヘッド７は前記キャリッジ５０を介して前記ガイドシャフト５２に支持されている為、前記記録ヘッド７も図４中の矢印Ｂ方向に移動され、これにより、前記記録ヘッド７の吐出口面７２と記録シートＰを保持するプラテン３４の記録シート支持面３４１との間隔ａが調整されることになる。
【００３６】
そして、前記調整を前記ガイドシャフト５２の両端部で実施することにより、前記記録ヘッド７の吐出口面７２と記録シートＰを保持するプラテン３４の記録シート支持面３４１との間隔ａは、記録シートＰの全幅に渡って該等しく調整されることになる。そして、前記調整実施後、前記偏心カム５２１は、前記シャーシ１１に段ビス９０で締結され、前記記録ヘッド７の吐出口面７２と記録シートＰを保持するプラテン３４の記録シート支持面３４１との間隔ａが記録シートＰの全幅に渡って該等しく適切に維持される。
【００３７】
次に、前記ガイドシャフト５２と前記搬送ローラ３６の平行度の調整について説明する。
【００３８】
前記支持部材６０には、１ｍｍで０．４ｍｍの角度で傾斜している傾斜面６３が備えられている。また、前記ガイドシャフト５２は、ガイドシャフトバネ８０により、図６中の矢印Ｔ方向に付勢されている。従って、これにより、前記ガイドシャフト５２は、前記支持部材６０の支持面６３と、前記傾斜面６３に付勢されることになる。
【００３９】
上記構成により、前記支持部材６０を図７中の矢印Ｅまたは矢印Ｆ方向へ移動すると、前記ガイドシャフト５２は図７中の矢印Ｇまたは矢印Ｈ方向へ移動することになる。
【００４０】
この時、前述したように前記傾斜面６３は１ｍｍで０．４ｍｍの角度で傾斜している為、例えば、前記ガイドシャフト５２の、図２中の左側部分を図７中の矢印Ｈ方向に０．２ｍｍ移動させたい場合には、前記ガイドシャフト５２の、図２中の左側部分の一端部を支持している支持部材６０を、図７中の矢印Ｆ方向へ０．５ｍｍ移動することで、前記ガイドシャフト５２は、図２中の左側部分を図７中の矢印Ｈ方向に０．２ｍｍ移動することになる。
【００４１】
そして、前記支持部材６０の移動が完了した後、前記支持部材６０をビス９１でシャーシ１１に締結し、前記ガイドシャフト５２と前記搬送ローラ３６の平行度の調整も完了する。
【００４２】
以上説明した様に、本実施形態によれば、安価で、かつ、省スペースな構成で、前記記録ヘッド７の吐出口面７２と記録シートＰを保持するプラテン３４の記録シート支持面３４１との間隔および、前記ガイドシャフト５２と前記搬送ローラ３６との平行性を調整することが実施可能な記録装置を提供することが可能になった。
【００４３】
［第２の実施形態］
前述した実施形態では、前記ガイドシャフト５２と前記搬送ローラ３６との平行性の調整を、前記ガイドシャフト５２の一端側だけの調整で実施したが、上述した構成を前記ガイドシャフト５２の他端側にも備え、前記ガイドシャフト５２と前記搬送ローラ３６との平行性の調整を、前記ガイドシャフト５２の両端で実施した場合には、前記ガイドシャフト５２と前記搬送ローラ３６の平行度の調整と共に、前記ヘッド７のプラテン３４に対する搬送方向の相対位置についての調整も実施可能になり、この場合も前述したのと同様の効果を得ることができる。
【００４４】
［第３の実施形態］
前述までの実施形態では、何れの場合も支持部材を移動することによってそれぞれの調整を実施する場合について説明したが、例えば、実施形態１において、前記ガイドシャフト５２と記録シートＰを保持する前記プラテン３４の前記記録シート支持面３４１との間隔の調整は、前述した通り実施し、前記ガイドシャフト５２と前記搬送ローラ３６の平行度の調整は、前記ガイドシャフト５２を、図７中の矢印Ｅまたは矢印Ｆ方向に移動する構成にしても、前述したのと同様の経過で、前述したのと同様の効果を得ることができる。
【００４５】
また、前述までの実施形態で、前記支持部材６０の図６中の矢印Ａまたは矢印Ｂ方向への移動を、偏心カム５２１の回動により実施する場合について説明したが、前述した偏心カム５２１を使用せず、支持部材６０を直接移動させる構成にしても、前述したのと同様の効果を得ることができる。また、前述までの傾斜面の勾配が、前述した値に限定されているものでは無いと言う事は勿論であり、調整範囲によって適宜決定されるものである。
【図面の簡単な説明】
【００４６】
【図１】本発明の第１実施形態における記録装置の斜視図
【図２】本発明の第１実施形態における記録装置の機構部の斜視図
【図３】本発明の第１実施形態における記録装置の機構部の断面図
【図４】本発明の第１実施形態における記録装置の搬送部の斜視図
【図５】本発明の第１実施形態における記録装置の搬送部の断面図
【図６】本発明の第１実施形態における主要部の側面図
【図７】本発明の第１実施形態における主要部の平面図
【符号の説明】
【００４７】
１        記録装置
２        給紙装置
３        搬送部
４        排紙部
５        キャリッジ部
７        記録ヘッド
１１      シャーシ
１１１    ガイドレール
２１      圧板
２４１    分離ローラ
２８      給紙ローラ
２９      ＡＳＦセンサー
３０      ピンチローラホルダ
３１      ピンチローラバネ
３２      ＰＥセンサー
３２１    ＰＥセンサーレバ
３３      ペーパガイドフラッパ
３３１    軸受け部
３４      プラテン
３５      搬送モータ
３６      搬送ローラ
３６１    プーリ
３６２    コードホイール
３７      ピンチローラ
３９      エンコーダセンサ
４０      第１排紙ローラ
４０１、４１１  搬送部
４１      第２排紙ローラ
４２      拍車
４３      拍車ホルダ
４４      拍車バネ
４６      排紙トレイ
５０      キャリッジ
５１      ヘッドセットレバー
５２      ガイドシャフト
５２１    偏心カム
５３      摺動シート
５４      キャリッジモータ
５４１    タイミングベルト
５４２    アイドルプーリー
５５      キャリッジダンパー
５６１    コードストリップ
６０、６４、６５  支持部材
８０      ガイドシャフトバネ
９０      段ビス
【図１】
2006205647.tif 000003
【図２】
2006205647.tif 000004
【図３】
2006205647.tif 000005
【図４】
2006205647.tif 000006
【図５】
2006205647.tif 000007
【図６】
2006205647.tif 000008
【図７】
2006205647.tif 000009